(57)【要約】【課題】印刷に関わる設定をミスなく容易に行うことができる。【解決手段】  パーソナルコンピューターにおける制御部は、印刷ジョブにおいて用いられた画像形成部の設定条件をダンプファイルとして記憶部に記憶させる。図３は、この場合における３つの印刷ジョブの各々の設定条件が記憶されたダンプファイルの内容を示す例である。このダンプファイルは、記憶部に識別可能なファイル名で記憶される。この際、画像形成装置からもこのダンプファイルが生成されたことを認識することができ、これを自身の記憶部に記憶させることもできる。このダンプファイルの内容はテキストファイル化されているため、これをパーソナルコンピューターでエディタ等を用いて編集することができる。【選択図】図３
2019168949.tif 000002
【特許請求の範囲】
【請求項１】
印刷ジョブに基づいて媒体上に画像を形成して出力させる機能をもつ画像形成手段を具備する画像形成装置と、前記印刷ジョブを前記画像形成装置に送信する周辺機器とを具備する画像形成システムであって、
前記周辺機器は、
前記印刷ジョブを実行させた際に当該印刷ジョブにおいて用いられた前記画像形成手段の設定条件を出力させたダンプファイルを記憶する周辺機器側記憶手段と、
前記印刷ジョブを送信する際に、前記ダンプファイルに基づき前記画像形成手段を設定させる周辺機器側制御手段と、
を具備することを特徴とする画像形成システム。
【請求項２】
前記ダンプファイルには、複数の前記印刷ジョブに対応する前記設定条件が含まれることを特徴とする請求項１に記載の画像形成システム。
【請求項３】
前記周辺機器側制御手段は、前記印刷ジョブにおける前記設定条件の前記ダンプファイルへの出力の有無をユーザーによる設定により定めることを特徴とする請求項２に記載の画像形成システム。
【請求項４】
前記周辺機器側制御手段は、
前記印刷ジョブを前記画像形成装置に送信する際に、前記ダンプファイルのうちの一つの前記印刷ジョブに対応する前記設定条件を指定することを特徴とする請求項２又は３に記載の画像形成システム。
【請求項５】
前記ダンプファイルが前記周辺機器で編集可能とされたことを特徴とする請求項４に記載の画像形成システム。
【請求項６】
前記周辺機器側制御手段は、バッチ処理を行うバッチファイルを実行させることによって前記印刷ジョブを送信することを特徴とする請求項４又は５に記載の画像形成システム。
【請求項７】
前記バッチファイル中で前記ダンプファイルが指定されることを特徴とする請求項６に記載の画像形成システム。
【請求項８】
前記周辺機器側制御手段は、
前記ダンプファイル中において、ファイル名が指定される設定が設けられ、当該ファイル名に対応したファイルに対して前記印刷ジョブが送信される際に、当該ダンプファイルに基づいて当該印刷ジョブを実行させることを特徴とする請求項７に記載の画像形成システム。
【請求項９】
前記周辺機器側制御手段は、
前記ダンプファイル中において、ファイル識別子が指定される設定が設けられ、当該ファイル識別子をもつファイルに対して前記印刷ジョブが送信される際に、当該ダンプファイルに基づいて当該印刷ジョブを実行させることを特徴とする請求項７に記載の画像形成システム。
【請求項１０】
前記周辺機器側記憶手段において、
前記ファイルと前記ダンプファイルとは同一フォルダに格納されて記憶されることを特徴とする請求項８又は９に記載の画像形成システム。
【発明の詳細な説明】
【技術分野】
【０００１】
本発明は、媒体に画像を形成して出力する印刷機能を具備する画像形成装置と、この画像形成装置に対して印刷ジョブを送信する周辺機器とが組み合わされた画像形成システムに関する。
【背景技術】
【０００２】
ネットワークを介して接続されたパーソナルコンピューターからの印刷ジョブを実行し、用紙（媒体）上に画像を形成して（印刷して）出力するプリンター（画像形成装置）においては、出力をユーザーからの要求に沿った形態とするために、様々な設定項目が設けられる。この設定項目としては、例えば色（カラー／モノクロ）の設定、印刷濃度の設定、用紙種類の設定、用紙向きの設定、余白領域、両面／片面印刷の設定等がある。
【０００３】
プリンターが多くのユーザーによって様々な目的で用いられる場合には、こうした設定、あるいは設定の組み合わせは無数に存在し、ユーザーがこのプリンターを使用するに際し、その都度この設定を行い、その内容を確認した上で印刷を行わせる必要がある。こうした場合にユーザーの負担を軽減するために、例えば、プリンター側に上記のような各種の設定を組み合わせた情報を複数記憶し、操作キー（プログラムキー）を用いてこれらのうちのいずれかをユーザーに選択させて用いることができる技術が用いられている。
【０００４】
また、特許文献１には、このような設定情報を外部メモリ―に記憶させ、この外部メモリ―をプリンターに接続させた場合に、プリンター側がこの情報を含むファイルの存在を認識すると、このファイルを読み込み、この情報に基づく設定で印刷を行わせる技術が記載されている。
【先行技術文献】
【特許文献】
【０００５】
【特許文献１】特開２０１７−２０５８７５号公報
【発明の概要】
【発明が解決しようとする課題】
【０００６】
プリンターにおける設定の組み合わせが多い場合には、上記のプログラムキーを用いた選択をする場合には多くのプログラムの中からユーザーが一つを選択し、上記の外部メモリ―を用いる場合には多くのファイルの中からユーザーが一つを選択することが必要となった。このため、選択ミスが発生する確率が高くなった。あるいは、ユーザーによる操作は容易とはならず、実際には前記のように各項目をユーザが使用の度に個別に設定する場合と比べて、ユーザーの負担はあまり軽減されなかった。
【０００７】
また、上記のどちらの場合においても、上記の設定に関わる情報は、プリンターの機種毎に固有のものである。このため、同一の設定を他のプリンターで適用することは一般的には困難であり、ユーザーが複数のプリンターを用いる場合には、特にユーザーの負担が大きくなった。
【０００８】
このため、印刷に関わる設定をミスなく容易に行うことのできる画像形成システムが望まれた。
【０００９】
本発明はこのような状況に鑑みてなされたものであり、上記課題を解決できる技術を提供することを目的とする。
【課題を解決するための手段】
【００１０】
本発明の画像形成システムは、印刷ジョブに基づいて媒体上に画像を形成して出力させる機能をもつ画像形成手段を具備する画像形成装置と、前記印刷ジョブを前記画像形成装置に送信する周辺機器とを具備する画像形成システムであって、前記周辺機器は、前記印刷ジョブを実行させた際に当該印刷ジョブにおいて用いられた前記画像形成手段の設定条件を出力させたダンプファイルを記憶する周辺機器側記憶手段と、前記印刷ジョブを送信する際に、前記ダンプファイルに基づき前記画像形成手段を設定させる周辺機器側制御手段と、を具備することを特徴とする。
本発明の画像形成システムにおいて、前記ダンプファイルには、複数の前記印刷ジョブに対応する前記設定条件が含まれることを特徴とする。
本発明の画像形成システムにおいて、前記周辺機器側制御手段は、前記印刷ジョブにおける前記設定条件の前記ダンプファイルへの出力の有無をユーザーによる設定により定めることを特徴とする。
本発明の画像形成システムにおいて、前記周辺機器側制御手段は、前記印刷ジョブを前記画像形成装置に送信する際に、前記ダンプファイルのうちの一つの前記印刷ジョブに対応する前記設定条件を指定することを特徴とする。
本発明の画像形成システムは、前記ダンプファイルが前記周辺機器で編集可能とされたことを特徴とする。
本発明の画像形成システムにおいて、前記周辺機器側制御手段は、バッチ処理を行うバッチファイルを実行させることによって前記印刷ジョブを送信することを特徴とする。
本発明の画像形成システムは、前記バッチファイル中で前記ダンプファイルが指定されることを特徴とする。
本発明の画像形成システムにおいて、前記周辺機器側制御手段は、前記ダンプファイル中において、ファイル名が指定される設定が設けられ、当該ファイル名に対応したファイルに対して前記印刷ジョブが送信される際に、当該ダンプファイルに基づいて当該印刷ジョブを実行させることを特徴とする。
本発明の画像形成システムにおいて、前記周辺機器側制御手段は、前記ダンプファイル中において、ファイル識別子が指定される設定が設けられ、当該ファイル識別子をもつファイルに対して前記印刷ジョブが送信される際に、当該ダンプファイルに基づいて当該印刷ジョブを実行させることを特徴とする。
本発明の画像形成システムは、前記周辺機器側記憶手段において、前記ファイルと前記ダンプファイルとは同一フォルダに格納されて記憶されることを特徴とする。
【発明の効果】
【００１１】
上記の構成により、印刷に関わる設定をミスなく容易に行うことができる画像形成システムを得ることができる。
【図面の簡単な説明】
【００１２】
【図１】本発明の実施の形態に係る画像形成装置の構成を示すブロック図である。
【図２】本発明の実施の形態に係る画像形成システムにおいて用いられる周辺機器となるパーソナルコンピューターの構成を示すブロック図である。
【図３】本発明の実施の形態に係る画像形成システムにおいて生成されるダンプファイルの例である。
【図４】本発明の実施の形態に係る画像形成システムにおいて生成されるダンプファイルの他の例である。
【図５】本発明の実施の形態に係る画像形成システムにおいて、周辺機器から印刷ジョブが送信される際の画像表示の例である。
【発明を実施するための形態】
【００１３】
以下、本発明を実施するための形態について図面を参照して説明する。実施の形態となる画像形成システムは、ネットワークを介して接続された周辺機器（パーソナルコンピューター）からの印刷ジョブを実行して用紙（媒体）に画像を形成して出力する画像形成装置と、このパーソナルコンピューターとで構成される。この印刷ジョブを実行するに際しては、各種の印刷条件の設定が行われるが、印刷が実行されると、この際に用いられた印刷のための各種の設定条件がダンプファイルとして生成され、これが記憶される。パーソナルコンピューターは、その後にパーソナルコンピューター側からこのダンプファイルを用いて印刷ジョブを実行させることができる。
【００１４】
図１は、この画像形成装置１の構成を示す図である。この画像形成装置１においては、媒体（用紙）上に画像を形成して出力するための機械的機構を具備する画像形成部（画像形成手段）１１が設けられる。また、この画像形成装置１全体の制御を行うためのＣＰＵを具備する制御部（画像形成装置側制御手段）１０が設けられ、この動作に際しては、操作パネル１２がユーザーに操作されることによって各種の設定が行われる。また、この際に機器の情報等を表示するディスプレイである表示部１３が設けられる。また、これらの動作を行うために用いられる各種のデータを記憶する記憶部（画像形成装置側記憶手段）１４も設けられる。また、画像形成装置１は、ネットワークを介して接続された外部のパーソナルコンピューター（周辺機器）からの印刷ジョブに基づく画像を画像形成部１１を用いて出力させることもできる。このためのインターフェースとなるネットワーク接続部１５も設けられている。上記の設定は、このパーソナルコンピューター側から行うこともできる。また、この画像形成装置１は、ネットワークを介して、記憶部１４中に記憶されたデータの一部を、外部のパーソナルコンピューターと共有することもできる。
【００１５】
制御部１０は、実際に画像形成部１１が用紙に画像を形成して出力する前に、画像が用紙上に形成された状況を忠実に再現したプレビュー画像を表示部１３に表示させることができる。また、このプレビュー画像は、ネットワークを介して接続されたパーソナルコンピューター側のディスプレイでも見ることができる。
【００１６】
図２は、上記の画像形成装置１とネットワークを介して接続されるパーソナルコンピューター（周辺機器）２の構成を示すブロック図である。パーソナルコンピューター２は、各種の情報処理を行い、この際に、ネットワークを介して接続された画像形成装置１を出力のために用いることができる。このためにこうした動作全体の制御を行う制御部（周辺機器側制御手段）２０が設けられ、その操作は、キーボードを具備する操作部２１により行われ、各種の情報を表示させるディスプレイである表示部２２が用いられる。また、この際に各種の情報を記憶する記憶部（周辺機器側記憶手段）２３も設けられる。また、このパーソナルコンピューター２は、ネットワークを介して画像形成装置１と接続され、このためのインターフェースとなるネットワーク接続部２４も設けられている。また、ＵＳＢメモリ等をＵＳＢ端子を介して接続させることによってこれらの間で各種のデータを授受するためのインターフェースとなる入出力部２５も設けられている。これらの構成によって、このパーソナルコンピューター２は、例えば記憶部２３に記憶された文書ファイルを印刷させるための印刷ジョブを、ネットワークを介して画像形成装置１側に送信し、この文書を印刷して出力させることができる。
【００１７】
ここで、上記のパーソナルコンピューター２における制御部２０は、印刷ジョブにおいて用いられた画像形成部１１の設定条件をダンプファイルとして記憶部２３に記憶させる。図３は、この場合における３つの印刷ジョブの各々の設定条件が記憶されたダンプファイルの内容を示す例である。ここでは、単純化して画像形成部１１における設定項目が３つ（印刷頁数（Ｐａｇｅ）、用紙設定（ＰａｐｅｒＳｉｚｅ）、色設定（Ｃｏｌｏｒ））であるものとしており、このダンプファイルがテキストファイルでありパーソナルコンピューター２で編集可能とされている。ここでは、ダンプファイルは、印刷ジョブが送信される度にその設定条件が追記されるように設定されている。
【００１８】
制御部２０がこの設定条件をダンプファイルに出力させるタイミングは、印刷ジョブを送信した直後や、画像形成装置１で印刷ジョブがエラーなく実行された直後等、適宜設定することができる。また、全ての印刷ジョブに関わる上記の設定条件をダンプファイルに出力させる必要はなく、印刷ジョブを送信する前に、パーソナルコンピューター２における表示部２２を介してユーザーにこの設定条件をダンプファイルに出力させるか否かの問い合わせをすることができる。あるいは、印刷ジョブがエラーなく実行された直後に設定条件をダンプファイルに出力する場合には、この問い合わせは、画像形成装置１が印刷ジョブを受信した後にこの問い合わせを行うことができる。この場合には、この問い合わせを画像形成装置１側の表示部１３で行うこともできる。このようにダンプファイルに設定条件を出力させる印刷ジョブを限定することによって、例えば特に多く使用する設定条件のみをダンプファイル中に記憶させ、使用頻度が少なく特殊な設定条件を記憶させないようにすることができ、以降のダンプファイルの利用が特に容易となる。
【００１９】
ここでは、Ｓｅｔｔｉｎｇ１では印刷頁が１頁、用紙設定が自動（画像サイズに応じて制御部１０が設定）、色設定がモノクロとされ、Ｓｅｔｔｉｎｇ２では印刷頁が１〜５頁、用紙設定がＡ４サイズ、色設定がカラー印刷とされ、Ｓｅｔｔｉｎｇ３では印刷頁が１、３、７頁、用紙設定がフォリオ、色設定がカラー印刷とされている。このダンプファイルは、記憶部２３に識別可能なファイル名で記憶される。この際、画像形成装置１からもこのダンプファイルが生成されたことを認識することができ、制御部１０がこのダンプファイルにアクセスして共有化することが可能であり、これを自身の記憶部１４に記憶させることもできる。
【００２０】
図３の例では、「Ｓｅｔｔｉｎｇ」がヘッダとして用いられることにより、例えば図３のダンプファイルにおいて１番目の設定を読み出す場合には「Ｓｅｔｔｉｎｇ１」を選択することにより、各印刷ジョブに対応した設定を読み出すことができる。
【００２１】
このダンプファイルの内容はテキストファイル化されているため、これをパーソナルコンピューター２でエディタ等を用いて編集することができる。また、例えばパーソナルコンピューター２がこれをある機種の画像形成装置１に対して印刷ジョブを送信した際に生成した場合において、後で他の機種の画像形成装置１と接続された場合でも、このダンプファイルをこの画像形成装置１に対して用いることもできる。また、入出力部２５を介してＵＳＢメモリ等を用いて他のパーソナルコンピューター等にこのダンプファイルをコピーすることも可能であり、このパーソナルコンピューターで新たにこのダンプファイルを用いる、あるいはこれをこのパーソナルコンピューターで編集することも可能である。
【００２２】
このため、パーソナルコンピューター２が印刷ジョブを送信する際には、この印刷ジョブ中で上記の設定を行う代わりに、ダンプファイル中における上記のＳｅｔｔｉｎｇを指定することにより、過去に行った印刷ジョブと同一の設定で印刷ジョブを実行させることもできる。
【００２３】
また、ダンプファイルの内容として、図３に記載されたような、印刷ジョブにおける画像形成部１１の設定内容以外の情報も含ませることができる。図４（ａ）（ｂ）は、こうした場合におけるダンプファイルの具体的構成の例を示す。図４（ａ）においては、印刷ジョブによって出力されたファイル名が「Ｆｉｌｅｎａｍｅ＝」の項目に記載されている。ここで、Ｓｅｔｔｉｎｇ１においては、「Ｄｏｃｕｍｅｎｔ．ｄｏｃｘ」と「Ｔｅｓｔ．ｔｘｔ」の２つのファイルが出力されたことが示されている。この場合には、設定条件は「Ｄｏｃｕｍｅｎｔ．ｄｏｃｘ」と「Ｔｅｓｔ．ｔｘｔ」のどちらを出力させた場合においても同様であり、このうち後で「Ｔｅｓｔ．ｔｘｔ」が出力されたとすると、この際にはこの設定条件は新たに追記されずに、代わりに「Ｆｉｌｅｎａｍｅ＝」の項目に「Ｔｅｓｔ．ｔｘｔ」が既に記載されていた「Ｄｏｃｕｍｅｎｔ．ｄｏｃｘ」に追記される。Ｓｅｔｔｉｎｇ３においても、同様にこの設定条件で「Ｓａｍｐｌｅ．ｐｄｆ」、「Ｄｏｃｕｍｅｎｔ．ｔｘｔ」の２つのファイルが出力された。
【００２４】
こうした設定とすることにより、制御部２０は、例えばこの後で「Ｄｏｃｕｍｅｎｔ．ｄｏｃｘ」を出力させる場合にはＳｅｔｔｉｎｇ１を、「Ｄｏｃｕｍｅｎｔ．ｔｘｔ」を出力させる場合にはＳｅｔｔｉｎｇ３を自動的に設定することができる。図４（ａ）の例の場合には、「Ｓａｍｐｌｅ．ｐｄｆ」はＳｅｔｔｉｎｇ２、とＳｅｔｔｉｎｇ３で重複しているため、制御部２０は表示部２２でこの旨を表示し、ユーザーがどちらを希望するかの回答を操作部２１によって得た上で、選択された側を設定することができる。これらの２種類の設定でそれぞれ出力させてもよい。
【００２５】
また、図４（ｂ）は、ファイル名の代わりにその識別子を「ＦｉｌｅＴｙｐｅ＝」の項目に記載した例である。この場合には、制御部２０は、この後で「ｐｄｆ」の識別子をもつファイルを出力させる場合にはＳｅｔｔｉｎｇ１を自動的に設定し、「ｔｘｔ」の識別子をもつファイルを出力させる場合にはＳｅｔｔｉｎｇ３を自動的に設定することができ、この場合にはファイル形式に応じて設定条件を自動的に定めることができる。図４（ｂ）の例の場合には、「ｄｏｃ」はＳｅｔｔｉｎｇ１、とＳｅｔｔｉｎｇ２で重複しているため、上記と同様に、この選択をユーザーに委ねることができる。
【００２６】
なお、図４（ａ）の内容のダンプファイルがある場合には、制御部２０は、この内容を認識してファイル名から識別子を抽出することにより、図４（ｂ）における「ＦｉｌｅＴｙｐｅ＝」の項目を生成することができる。すなわち、図４（ｂ）の形式のダンプファイルは、図４（ａ）の形式のダンプファイルから生成することが可能であるため、実際には図４（ａ）の形式のダンプファイルのみを記憶部２３に記憶させれば十分である。
【００２７】
図４のどちらの場合においても、ダンプファイルは過去に実行された印刷ジョブに基づいて作成されるため、出力に関わる設定をミスなく容易に行うことができる。同様の印刷作業を印刷内容を変えて繰り返して行う場合に、こうした点は特に有効である。
【００２８】
また、ダンプファイルは印刷ジョブに基づき制御部２０が作成するが、その後はパーソナルコンピューター２側で編集可能であるため、ユーザーが所望の設定内容にこれを編集することも容易である。例えば、図４（ｂ）において、「ｄｏｃ」はＳｅｔｔｉｎｇ１とＳｅｔｔｉｎｇ２で設定されているが、ユーザーが「ｄｏｃ」の場合にはＳｅｔｔｉｎｇ２のみを希望する場合には、パーソナルコンピューター２でダンプファイルを編集してＳｅｔｔｉｎｇ１の項目の「ＦｉｌｅＴｙｐｅ＝」の「ｄｏｃ」を削除すればよい。
【００２９】
上記の例では、画像形成部１１における設定項目が３つ（印刷頁数、用紙設定、色設定）だけであるものとしたが、特に多機能の画像形成装置においては、より多くの設定項目が設けられる。こうした場合において、出力に関わる設定をミスなく容易に行わせるためには、上記の構成は特に有効である。
【００３０】
上記のような動作は、制御部２０が、印刷ジョブを送信する前に上記のダンプファイルを記憶部２３から読み出し、これにより上記のように設定条件を定めた上で印刷ジョブを送信することによって行われる。こうした動作を、バッチファイルを用いて行わせることができる。この場合には、出力される文書ファイルとダンプファイルと、このバッチジョブを実行させ印刷ジョブを画像形成装置１側に送信するためのコマンド列で構成されたバッチファイルとを、記憶部２３において同一フォルダ内（例えば文書管理用のフォルダ）に設けることが好ましい。このような場合には、このバッチジョブを実行させることによって、対象となるファイル名を指定せずに、印刷ジョブを実行させることができ、対象となるファイルを所望の設定で印刷出力させることができる。この際、前記のように同一のファイルを異なる設定でそれぞれ出力させることもできる。
【００３１】
一方、図３の場合のように、ダンプファイルの内容として、上記のようにファイルの属性（識別子）やファイル名を指定しない設定も可能である。図５は、このようにバッチジョブとして上記のようなダンプファイルを用いて印刷ジョブを送信させる場合の表示部２２におけるコマンドプロンプト画面の表示の一例である。ここでは、図３のようなダンプファイルの内容が具体的に表示されるが、前記の通り、ファイル名等は指定されておらず、このバッチファイルと同じフォルダ内にあるＤｏｃｕｍｅｎｔ１．ｄｏｃが対象となっている。この場合に、表示されたＳｅｔｔｉｎｇ１〜３のどれを選択するかがユーザーに委ねられており、選択されたＳｅｔｔｉｎｇで印刷ジョブが実行される。
【００３２】
なお、上記の例においては、ダンプファイルはパーソナルコンピューター２側の制御部２０が作成するものとした。しかしながら、このダンプファイルを画像形成装置１側の制御部１０が作成して記憶部１４に記憶させ、このダンプファイルをネットワークを介して接続されたパーソナルコンピューター２側で読み込んだ上で記憶部２３に記憶させてもよい。
【００３３】
また、上記の例では、画像形成装置１に印刷ジョブを送信する周辺機器はパーソナルコンピューター２であるものとしたが、同様の機能を具備し、かつダンプファイルを記憶、編集可能な周辺機器であれば、パーソナルコンピューター２以外でも、同様に用いることができる。また、周辺機器が複数接続されて用いられ、ダンプファイルを編集する周辺機器と印刷ジョブを送信する周辺機器が異なっていてもよい。あるいは、画像形成装置側でダンプファイルが編集可能とされていてもよい。すなわち、ダンプファイルを反映させて周辺機器側から印刷ジョブを送信できる限りにおいて、ダンプファイルが画像形成装置、周辺機器のどちらで生成され、どちらに記憶されるかは任意である。
【符号の説明】
【００３４】
１  画像形成装置
２  パーソナルコンピューター（周辺機器）
１０  制御部（画像装置側制御手段）
１１  画像形成部(画像形成手段）
１２  操作パネル
１３、２２  表示部
１４  記憶部（画像形成装置側記憶手段）
１５、２４  ネットワーク接続部
２０  制御部（周辺機器側制御手段）
２１  操作部
２３  記憶部（周辺機器側記憶手段）
２５  入出力部
【図１】
2019168949.tif 000003
【図２】
2019168949.tif 000004
【図３】
2019168949.tif 000005
【図４】
2019168949.tif 000006
【図５】
2019168949.tif 000007